【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
ナンバープレートの固定具の頭部に溝を切り込むことができる切削機を収納する治具であって、
当該切削機に取り付け固定可能な第１カバーと、
当該第１カバーとスライド可能に設置された第２カバーと、を有し、
当該第２カバーは、前記第１カバーの前方スライド量を規制するスライド規制部材を備え、
当該スライド規制部材は、当該スライド規制部材と前記第２カバーとの固定位置を調整するための長状の開口を有する。
【請求項２】
ナンバープレートの固定具の頭部に溝を切り込むことができる切削機を収納する治具であって、
当該切削機に取り付け固定可能な第１カバーと、
当該第１カバーとスライド可能に設置された第２カバーと、を有し、
当該第２カバーは、前記第１カバーの前方スライド量を規制するスライド規制部材を備え、
当該スライド規制部材は、前記第１カバーのスライド方向に長状である開口を有する。
【請求項３】
請求項１又は２に記載した治具であって、前記長状の開口は、長状の孔若しくは切り欠きである。
【請求項４】
ナンバープレートの固定具の頭部に溝を切り込むことができる切削機を収納する治具であって、
当該切削機に取り付け固定可能な第１カバーと、
当該第１カバーとスライド可能に設置された第２カバーと、を有し、
当該第２カバーは、前記第１カバーの前方スライド量を規制するスライド規制部材を備え、
前記第１カバーは、当該第１カバーと前記切削機との固定位置を調整するための長状の開口を有する。
【請求項５】
ナンバープレートの固定具の頭部に溝を切り込むことができる切削機を収納する治具であって、
当該切削機に取り付け固定可能な第１カバーと、
当該第１カバーとスライド可能に設置された第２カバーと、を有し、
当該第２カバーは、前記第１カバーの前方スライド量を規制するスライド規制部材を備え、
前記第１カバーは、当該第１カバーのスライド方向に長状な開口を有する。
【請求項６】
請求項４又は請求項５に記載した治具であって、前記長状の開口は、長状の孔若しくは切り欠きである。
【請求項７】
ナンバープレートの固定具の頭部に溝を切り込む砥石を収納する治具であって、当該砥石の摩耗量を目視できるように、小さい開口を設けた。
【請求項８】
ナンバープレートの固定具の頭部に溝を切り込む砥石を収納する治具であって、当該砥石の刃先位置を確認するための開口を有する。
【請求項９】
請求項８に記載した治具であって、前記開口はピンホールであり、そのピンホールの直径は約２〜３ミリメートルである。
【請求項１０】
ナンバープレートの固定具の頭部に溝を切り込む砥石を収納する治具の固定具頭部収納穴に着脱自在に嵌め込まれる突き当て部材であって、
前記砥石の刃先位置を確認するための所定高さを有する突出部を備え、
当該突出部が前記頭部収納穴に着脱自在に嵌め込まれる。
【請求項１１】
ナンバープレートの固定具の頭部に溝を切り込む砥石を収納する治具の固定具頭部収納穴に着脱自在に嵌め込まれる突き当て部材であって、
前記固定具頭部収納穴の深さよりも短い距離の高さを有する突出部を備え、
当該突出部が前記頭部収納穴に着脱自在に嵌め込まれる。
【請求項１２】
ナンバープレートの固定具の頭部に溝を切り込む砥石を収納する治具であって、当該砥石の摩耗量を示す目盛りを有する。
【手続補正２】
【補正対象書類名】明細書
【補正対象項目名】０００６
【補正方法】変更
【補正の内容】
【０００６】
上記課題を解決するために、請求項１の発明は、ナンバープレートの固定具の頭部に溝を切り込むことができる切削機を収納する治具であって、当該切削機に取り付け固定可能な第１カバーと、当該第１カバーとスライド可能に設置された第２カバーと、を有し、当該第２カバーは、前記第１カバーの前方スライド量を規制するスライド規制部材を備え、当該スライド規制部材は、当該スライド規制部材と前記第２カバーとの固定位置を調整するための長状の開口を有する。
【手続補正３】
【補正対象書類名】明細書
【補正対象項目名】０００７
【補正方法】変更
【補正の内容】
【０００７】
請求項２の発明は、ナンバープレートの固定具の頭部に溝を切り込むことができる切削機を収納する治具であって、当該切削機に取り付け固定可能な第１カバーと、当該第１カバーとスライド可能に設置された第２カバーと、を有し、当該第２カバーは、前記第１カバーの前方スライド量を規制するスライド規制部材を備え、当該スライド規制部材は、前記第１カバーのスライド方向に長状である開口を有する。
【手続補正４】
【補正対象書類名】明細書
【補正対象項目名】０００８
【補正方法】変更
【補正の内容】
【０００８】
請求項３の発明は、請求項１又は２に記載した治具であって、前記長状の開口は、長状の孔若しくは切り欠きである。
【手続補正５】
【補正対象書類名】明細書
【補正対象項目名】０００９
【補正方法】変更
【補正の内容】
【０００９】
請求項４の発明は、請求項１に記載した治具であって、ナンバープレートの固定具の頭部に溝を切り込むことができる切削機を収納する治具であって、当該切削機に取り付け固定可能な第１カバーと、当該第１カバーとスライド可能に設置された第２カバーと、を有し、当該第２カバーは、前記第１カバーの前方スライド量を規制するスライド規制部材を備え、前記第１カバーは、当該第１カバーと前記切削機との固定位置を調整するための長状の開口を有する。
【手続補正６】
【補正対象書類名】明細書
【補正対象項目名】００１０
【補正方法】変更
【補正の内容】
【００１０】
請求項５の発明は、ナンバープレートの固定具の頭部に溝を切り込むことができる切削機を収納する治具であって、当該切削機に取り付け固定可能な第１カバーと、当該第１カバーとスライド可能に設置された第２カバーと、を有し、当該第２カバーは、前記第１カバーの前方スライド量を規制するスライド規制部材を備え、前記第１カバーは、当該第１カバーのスライド方向に長状な開口を有する。
【手続補正７】
【補正対象書類名】明細書
【補正対象項目名】００１１
【補正方法】変更
【補正の内容】
【００１１】
請求項６の発明は、請求項４又は請求項５に記載した治具であって、前記長状の開口は、長状の孔若しくは切り欠きである。
【手続補正８】
【補正対象書類名】明細書
【補正対象項目名】００１２
【補正方法】変更
【補正の内容】
【００１２】
請求項７の発明は、ナンバープレートの固定具の頭部に溝を切り込む砥石を収納する治具であって、当該砥石の摩耗量を目視できるように、小さい開口を設けた。
【手続補正９】
【補正対象書類名】明細書
【補正対象項目名】００１３
【補正方法】変更
【補正の内容】
【００１３】
請求項８の発明は、ナンバープレートの固定具の頭部に溝を切り込む砥石を収納する治具であって、当該砥石の刃先位置を確認するための開口を有する。
【手続補正１０】
【補正対象書類名】明細書
【補正対象項目名】００１４
【補正方法】変更
【補正の内容】
【００１４】
請求項９の発明は、請求項８に記載した治具であって、前記開口はピンホールであり、そのピンホールの直径は約２〜３ミリメートルである。
【手続補正１１】
【補正対象書類名】明細書
【補正対象項目名】００１５
【補正方法】変更
【補正の内容】
【００１５】
請求項１０の発明は、ナンバープレートの固定具の頭部に溝を切り込む砥石を収納する治具の固定具頭部収納穴に着脱自在に嵌め込まれる突き当て部材であって、前記砥石の刃先位置を確認するための所定高さを有する突出部を備え、当該突出部が前記頭部収納穴に着脱自在に嵌め込まれる。
【手続補正１２】
【補正対象書類名】明細書
【補正対象項目名】００１６
【補正方法】変更
【補正の内容】
【００１６】
請求項１１の発明は、ナンバープレートの固定具の頭部に溝を切り込む砥石を収納する治具の固定具頭部収納穴に着脱自在に嵌め込まれる突き当て部材であって、前記固定具頭部収納穴の深さよりも短い距離の高さを有する突出部を備え、当該突出部が前記頭部収納穴に着脱自在に嵌め込まれる。
【手続補正１３】
【補正対象書類名】明細書
【補正対象項目名】００１７
【補正方法】変更
【補正の内容】
【００１７】
請求項１２の発明は、ナンバープレートの固定具の頭部に溝を切り込む砥石を収納する治具であって、当該砥石の摩耗量を示す目盛りを有する。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】